(57)【要約】【課題】水位センサ等のレベルセンサに故障が生じても運転を継続することができ、しかも計装コストも低くて足りる貯留装置を提供する。【解決手段】タンク３Ａ，３Ｂと、各タンク３Ａ，３Ｂ内に給水するための給水ライン４Ａ，４Ｂと、各タンク３Ａ，３Ｂ内の水位を検出するように各タンク３Ａ，３Ｂに設置された水位センサ５Ａ，５Ｂと、各タンク３Ａ，３Ｂから液を送り出すポンプ７Ａ，７Ｂと、水位センサ５Ａ，５Ｂからの信号に基づいて該ポンプ７Ａ，７Ｂを制御する制御器６とを有する貯留装置において、操作部１０ａ，１０ｂによっていずれか１つの水位センサ５Ａ又は５Ｂを選択し、選択した水位センサの検出水位に基づいて該ポンプ７Ａ，７Ｂを制御するモードを設定可能とした。【選択図】図１
2013124484.tif 000002
【特許請求の範囲】
【請求項１】
第１ないし第ｎの複数個（ｎ個）のタンクと、
各タンク内に給水するための給水ラインと、
各タンク内の液位を検出するように各タンクに１個ずつ設置された第１ないし第ｎのレベルセンサと、
各タンクから液を送り出す送液手段と
第１ないし第ｎのレベルセンサからの信号に基づいて該送液手段を制御する制御器と
を有する貯留装置において、
いずれか１つのレベルセンサを選択し、選択したレベルセンサの検出液位に基づいて該送液手段を制御するモードを設定可能としたことを特徴とする貯留装置。
【請求項２】
請求項１において、検出液位が最も高いレベルセンサの検出液位に基づいて該送液手段を制御するモードを設定可能としたことを特徴とする貯留装置。
【発明の詳細な説明】
【技術分野】
【０００１】
本発明は、複数のタンクからの水などの流体を供給するよう構成された貯留装置に関する。本発明の貯留装置は、例えば井水や工水の前処理設備、純水設備、排水設備などの分野で用いることができる。
【背景技術】
【０００２】
複数個、例えば２個のタンクから水を供給する貯留装置の従来例について図４を参照して説明する。
【０００３】
槽体１内が仕切板２によって区画されることによりタンク３Ａ，３Ｂが形成されている。各タンク３Ａ，３Ｂには水位が所定の上限水位（水位（高））と下限水位（水位（低））との間となるように給水ライン４Ａ，４Ｂから給水が行われる。具体的には、タンク内の水位が下限水位になると給水が開始し、上限水位になると給水が停止する。
【０００４】
タンク３Ａ内の水は、ポンプ７Ａ及びライン８Ａを介して需要先へ送水され、タンク３Ｂ内の水はポンプ７Ｂ及びライン８Ｂを介して需要先へ送水される。各ポンプ７Ａ，７Ｂよりも上流側のライン８Ａ，８Ｂ間はサクションライン９で連通されている。タンク３Ａ，３Ｂにはそれぞれ水位センサ５Ａ，５Ｂが設けられており、各々の検出信号が制御器６に入力されている。この従来例では、水位センサ５Ａの検出水位に基づいて制御部６Ａがポンプ７Ａに制御信号を出力し、水位センサ５Ｂの検出水位に基づいて制御部６Ｂがポンプ７Ｂに制御信号を出力する。
【０００５】
タンク３Ａ内の水位が下限水位と上限水位との間にあるときには、ポンプ７Ａは需要先へ必要量の水を送水する。タンク３Ｂ内の水位が下限水位と上限水位との間にあるときには、ポンプ７Ｂは需要先へ必要量の水を送水する。
【０００６】
制御器６及び水位センサ５Ａ，５Ｂは、ポンプ７Ａ，７Ｂによる空引き防止を図るためのものである。即ち、タンク３Ａ内の水位が下限水位よりも低くなったときには、制御部６Ａはポンプ７Ａを停止させる。タンク３Ｂ内の水位が下限水位よりも低くなったときには、制御部６Ｂは、ポンプ７Ｂを停止させる。
【０００７】
なお、特許文献１には、２個のタンクの下部同士を弁付きの連通管で接続すると共に、この連通管に圧力計を設けること、各タンクに液位センサを設けること、該圧力計による液位と液位センサの検出液位とが合致するか判断すること、これらの検出液位が合致しないときには警報を発生させ、その後は圧力計の検出圧力に基づいて運転を継続させることが記載されている。
【先行技術文献】
【特許文献】
【０００８】
【特許文献１】特開２００９−１９１４４８
【発明の概要】
【発明が解決しようとする課題】
【０００９】
図４の従来例では、水位センサ５Ａが故障した場合、制御部６Ａによるポンプ７Ａの制御はなされないので、ポンプ７Ａを停止させるには手動にて操作するしかなかった。水位センサ５Ｂに故障が生じた場合も同様である。
【００１０】
特許文献１では、液位センサだけでなく圧力センサも設けることが必要であり、計装システムのコストが高くつく。
【００１１】
本発明は、水位センサ等のレベルセンサに故障が生じても運転を継続することができ、しかも計装コストも低くて足りる貯留装置を提供することを目的とする。
【課題を解決するための手段】
【００１２】
本発明の貯留装置は、第１ないし第ｎの複数個（ｎ個）のタンクと、各タンク内に給水するための給水ラインと、各タンク内の液位を検出するように各タンクに１個ずつ設置された第１ないし第ｎのレベルセンサと、各タンクから液を送り出す送液手段と第１ないし第ｎのレベルセンサからの信号に基づいて該送液手段を制御する制御器とを有する貯留装置において、いずれか１つのレベルセンサを選択し、選択したレベルセンサの検出液位に基づいて該送液手段を制御するモードを設定可能としたことを特徴とするものである。
【００１３】
本発明では、検出液位が最も高いレベルセンサの検出液位に基づいて該送液手段を制御するモードを設定可能としてもよい。
【発明の効果】
【００１４】
本発明の貯留装置では、いずれか１つのレベルセンサを選択し、選択したレベルセンサの検出液位に基づいて送液手段を制御するモードが設定可能であるので、一部のタンクのレベルセンサに故障が生じても他のタンクのレベルセンサを利用して各タンクからの送液を継続することができる。
【図面の簡単な説明】
【００１５】
【図１】実施の形態に係る貯留装置のブロック図である。
【図２】実施の形態に係る貯留装置のブロック図である。
【図３】実施の形態に係る貯留装置のブロック図である。
【図４】従来例の貯留装置のブロック図である。
【発明を実施するための形態】
【００１６】
以下、図１〜３を参照して実施の形態について説明する。この実施の形態でも、槽１内が仕切板２で区画されてタンク３Ａ，３Ｂが区画形成され、各々にライン４Ａ，４Ｂから給水される。水位センサ５Ａ，５Ｂの検出信号は制御器６に入力され、該制御器６によってポンプ７Ａ，７Ｂが制御される。この実施の形態では、この制御器６に対しいずれの水位センサ５Ａ，５Ｂを選択するかの指示を与える操作部１０が設けられている。この操作部１０には１０ａ，１０ｂ，１０ｃの３個のスイッチが設けられており、スイッチ１０ａを押すと制御器６に対し水位センサ５Ａの選択指令信号が与えられる。これにより、制御器６は水位センサ５Ａの検出信号に基づいてポンプ７Ａ，７Ｂを制御するモードとなる。
【００１７】
スイッチ１０ｂを押すと制御器６に対し水位センサ５Ｂの選択指令信号が与えられる。これにより、制御器６は水位センサ５Ｂの検出信号に基づいてポンプ７Ａ，７Ｂを制御するモードとなる。
【００１８】
スイッチ１０ｃを押すと、検出水位の高い方の水位センサを選択する指令信号が与えられる。これにより、制御器６は検出水位の高い方の水位センサの検出信号に基づいてポンプ７Ａ，７Ｂを制御するモードとなる。図１〜３のその他の構成は図４と同じであり、同一符号は同一部分を示している。
【００１９】
図１では、スイッチ１０ａを押して水位センサ５Ａを選択したモードとなっている。この場合、水位センサ５Ａの検出水位が下限水位よりも低くなるとポンプ７Ａ，７Ｂが停止する。
【００２０】
図２では、スイッチ１０ｂを押して水位センサ５Ｂを選択したモードとなっている。この場合、水位センサ５Ｂの検出水位が下限水位よりも低くなるとポンプ７Ａ，７Ｂが停止する。
【００２１】
図３では、スイッチ１０ｃを押して検出水位の高い方の水位センサの検出信号に基づいてポンプ７Ａ，７Ｂを制御するモードとなっている。図３では、タンク３Ａの方が高水位となっているので、水位センサ５Ａの検出信号に基づく制御（図１と同一の制御）が行われている。図３において、その後タンク３Ｂの方が高水位となったときには水位センサ５Ｂの検出信号に基づく制御（図２と同一の制御）が行われる。
【００２２】
このように、この実施の形態によると、水位センサ５Ａ，５Ｂの一方が故障しても他方の水位センサを選択したモードとすることにより、双方のタンクからの給水を続行することができる。この実施の形態では、水位センサは各タンクにつき１個であり、計装コストが安価である。
【００２３】
上記実施の形態ではタンクは２個であるが、３個以上であってもよい。
【００２４】
上記実施の形態ではタンク内に水を貯留させているが、液体（スラリーを含む）であればよい。
【００２５】
上記実施の形態ではポンプによって送水しているが、水頭差を利用して送水し、弁の開閉によって送水と送水停止の切り替えを行うようにしてもよい。
【符号の説明】
【００２６】
１  槽体
２  仕切板
３Ａ，３Ｂ  タンク
４Ａ，４Ｂ  給水ライン
５Ａ，５Ｂ  水位センサ
６  制御器
７Ａ，７Ｂ  ポンプ
９  サクションライン
１０  操作部
１０ａ，１０ｂ，１０ｃ  スイッチ
【図１】
2013124484.tif 000003
【図２】
2013124484.tif 000004
【図３】
2013124484.tif 000005
【図４】
2013124484.tif 000006